(57)【特許請求の範囲】
【請求項１】
搬送路を搬送ローラによって搬送される媒体に対し、幅寄せ手段により基準端の方向に幅寄せする媒体処理装置において、
前記搬送ローラの前記基準端の方向とは反対側に、前記搬送ローラと同軸でかつ空転可能なローラガイドを設け、
前記ローラガイドの内径は回転軸に対して遊びを有し、
前記ローラガイドの下側で前記媒体の前記幅寄せを行い、前記媒体の前記幅寄せの際に、前記ローラガイドの外径が前記搬送ローラより下側に突出している構成であることを特徴とする媒体処理装置。
【請求項２】
前記ローラガイドは円錐台状であることを特徴とする請求項１記載の媒体処理装置。
【請求項３】
前記搬送ローラによる媒体搬送の際に、前記ローラガイドが前記媒体により押し上げられることを特徴とする請求項１又は２記載の媒体処理装置。
【請求項４】
前記ローラガイドは、低摩擦材で構成されることを特徴とする請求項１乃至３いずれか一記載の媒体処理装置。
【発明の詳細な説明】
【技術分野】
【０００１】
本発明は、金融機関の窓口に設置され、通帳や伝票等の媒体を処理する媒体処理装置に関するものである。
【背景技術】
【０００２】
通帳や伝票等の媒体を処理する媒体処理装置は、通帳伝票プリンタといわれ、通帳や伝票等の媒体に対して、磁気データの読み書き処理や可視情報の印字処理を行う。この通帳伝票プリンタにおいては、金融機関で扱う様々なサイズの媒体を処理するため、その挿入口の幅は、最大サイズの媒体が挿入できる幅となっている。しかも、媒体に対して決められた位置に印字できるよう挿入口の右又は左の端を基準として、操作者はこの基準端に媒体を突き当てて媒体を挿入する必要がある。
【０００３】
操作者が媒体を斜めに挿入してしまったり、基準端から離れて挿入してしまった場合は、印字が斜めになったり、ずれたりする。これに対し、媒体が斜めに挿入されたり、基準端から離れて挿入された場合は、自動的に基準端に媒体を寄せたり、強制的に排出する媒体処理装置がある。媒体を基準端に寄せる媒体幅寄せ機構としては特許第３７３８１６４号公報がある。
【特許文献１】特許第３７３８１６４号公報
【発明の開示】
【発明が解決しようとする課題】
【０００４】
しかしながら、これらの媒体処理装置では、基準端に対して、操作者が注意不足で斜めに挿入したり、離して挿入してしまう場合に幅寄せして補正を行うものであり、操作者は、ほぼ基準端に沿って媒体を挿入する必要がある。操作者は挿入口の間口に対して媒体をどこに入れてもよいというものではない。また、仮にサイズの小さい媒体を基準端と反対端に入れたとしたら、媒体を基準端に寄せる場合に、媒体の端が搬送ローラの側面に衝突してしまい、媒体を基準端に寄せることができないという問題があった。
【０００５】
そこで、本発明が解決しようとする課題は媒体を基準端に幅寄せする媒体処理装置において、搬送ローラの側面に媒体の端が衝突することがない幅寄せ機構を提供することにある。従って、操作者は挿入口の幅に対して媒体をどこに入れてもよく、基準端を意識する必要がない操作性に優れた媒体処理装置を提供することにある。
【課題を解決するための手段】
【０００６】
前記課題を解決するために、特許請求の範囲の請求項１記載の発明は、搬送路を搬送ローラによって搬送される媒体に対し、幅寄せ手段により基準端の方向に幅寄せする媒体処理装置において、前記搬送ローラの前記基準端の方向とは反対側に、前記搬送ローラと同軸でかつ空転可能なローラガイドを設け、前記ローラガイドの内径は回転軸に対して遊びを有し、前記ローラガイドの下側で前記媒体の前記幅寄せを行い、前記媒体の前記幅寄せの際に、前記ローラガイドの外径が前記搬送ローラより下側に突出している構成であることを特徴とするものである。
【発明の効果】
【０００８】
これにより本発明は、媒体を基準端に幅寄せする媒体処理装置において、搬送ローラの側面に媒体の端が衝突することがなく、滑らかに幅寄せすることができる。従って、操作者は挿入口の幅に対して媒体をどこに入れてもよく、基準端を意識する必要がない操作性に優れた媒体処理装置を提供することができる。
【発明を実施するための最良の形態】
【０００９】
（第１の実施の形態）
図１は第１の実施の形態の機構概略図である。媒体処理装置１は、挿入口２と搬送路３と磁気データ処理部４−１と印字処理部4−２とから構成されている。媒体５は、シートガイドロワ６とシートガイドアッパ７の間を複数のフィードローラ８及び１０により装置内を搬送されて、後述する必要な処理がなされる。
【００１０】
前記媒体５は通帳又は伝票等であり、同図で示した媒体５は通帳を示す。当該媒体５は操作者によって、挿入口２から挿入されると、搬送路３を搬送されて、磁気データ処理部４−１と印字処理部４−２まで送られる。その後、媒体５は磁気データ処理部４−１によって磁気データの読み書き処理が行われ、印字処理部4−２によって可視情報の印字処理が行われる。そして再び搬送路３を逆方向に搬送されて、前記挿入口２に排出されるように構成される。
【００１１】
媒体処理装置１は金融機関で扱う様々なサイズの媒体５を処理するため、挿入口２の幅は、処理する最大サイズの媒体５が挿入できる幅となっている。また、媒体５に対して決められた位置に必要な処理ができるよう挿入口２の右端が基準端１３である。
【００１２】
前記シートガイドロワ６とシートガイドアッパ７は、所定の間隔をもって上下に対向するように配置されており、当該シートガイドロワ６とシートガイドアッパ７の間隔によって前記搬送路３が形成される。
【００１３】
搬送路３上の媒体５を搬送するために、搬送方向に直角に設けられた回転軸１２に所定の間隔でフィードローラ８及び１０が配置される。当該フィードローラ８及び１０が設けられた回転軸１２は前記搬送路３に複数設けられる。当該回転軸１２は図示しないフィードモータにより駆動される。
【００１４】
図２は第１の実施の形態の搬送機構を示す一部断面図である。同図は前記フィードローラ８及び１０付近について、前記挿入口２の方向から見た図を示す。前記フィードローラ８及び１０は、シートガイドアッパ７に設けられた透孔７−１を通して前記シートガイドアッパ７を越え、前記搬送路３に入り込むように設けられる。
【００１５】
一方、前記フィードローラ８及び１０と対向する位置にプレッシャローラ９及び１１が設けられている。当該プレッシャローラ９及び１１は図示しないアクチュエータによって上下動する。プレッシャローラ９及び１１は、上昇することによって、シートガイドロワ６に設けられた透孔６−１を通して前記シートガイドロワ６を越え、前記搬送路３に入り込む。こうしてプレッシャローラ９及び１１は、前記フィードローラ８及び１０と共に媒体５をクランプする。また、プレッシャローラ９及び１１は、下降することによって、前記搬送路３から退避し、シートガイドロワ６より引っ込んだ位置になるよう構成される。
【００１６】
前述のように前記プレッシャローラ９及び１１が前記搬送路３に入り込み、フィードローラ８及び１０と共に前記媒体５をクランプすると、図示しないフィードモータにより、フィードローラ８及び１０は同期して正方向（吸入方向）及び逆方向（排出方向）に回転するように構成される。
【００１７】
また、媒体５を基準端１３に移動させる幅寄せ手段としてのアライナローラ１４が設けられる。当該アライナローラ１４の軸は、前記フィードローラ８の回転軸１２と直角方向の軸である。アライナローラ１４に対向する位置に設けられたアライナプレスローラ１５と共に媒体５をクランプし、図示しないモータを駆動することにより、媒体５を搬送方向と直角方向に移動させることが可能である。アライナプレスローラ１５は、媒体５を開放時は、シートガイドロワ６より引っ込んだ位置になるよう構成する。
【００１８】
フィードローラ８の前記基準端１３の方向とは反対側の隣には、フィードローラ８と同軸上でかつ空転可能にローラガイド１６が設けられる。当該ローラガイド１６の形状は、円錐の頂点側を切り欠いた形状、即ち、円錐台状であり、円錐の底面の中心と円錐の頂点を通る線に、前記回転軸１２を一致させて設けてある。円錐台状のローラガイド１６を図２に示すように円錐の底面を基準端１３側に向けると、円錐による傾斜部が形成され、当該傾斜部が前記基準端１３の方向とは反対側に配置される。
【００１９】
当該ローラガイド１６の径の大きい側の直径は、フィードローラ８とほぼ同等である。回転軸１２に対しては空転する構造であり、内径は回転軸１２に対し若干の遊び１７（図３参照）を持たせたものとする。素材は媒体５が滑るような低摩擦材が望ましい。
【００２０】
次に第１の実施の形態の動作を図３乃至図５を用いて説明する。図３乃至図５は第１の実施の形態の動作を示す説明図である。まず操作者は媒体５を挿入口２に挿入する。このとき媒体５を基準端１３に合わせる必要はなく、挿入口２の間口のどこに挿入してもよい。媒体処理装置１は図示しないセンサにより媒体５を検知し、プレッシャローラ９及び１１がシートガイドロワ６より飛び出し、媒体５をクランプする。
【００２１】
図３に示す状態は媒体５をクランプしている状態である。媒体５は、図中の左側のフィードローラ１０とプレッシャローラ１１のみにクランプされた状態になっている。操作者は、媒体５がクランプされたので媒体５から手を放す。
【００２２】
次に、図示しないフィードモータによりフィードローラ８及び１０が回転し、媒体５を基準端１３に寄せるために適当な位置まで装置奥へ搬送させる。
【００２３】
また、前記ローラガイド１６は、重力によりフィードローラ８の回転軸１２にぶら下がった状態で、遊び１７は回転軸１２の下側となっており、ローラガイド１６はフィードローラ８より下に突き出している。
【００２４】
次にフィードローラ８及び１０の回転を停止し、媒体５を停止させる。図４に示すようにプレッシャローラ９及び１１を矢印Ｃ方向に下降させ、前記アライナプレスローラ１５を矢印Ａ方向に上昇させ、媒体５に押し当てる。続いて図示しないモータによりアライナローラ１４を駆動させ、媒体５を基準端１３の矢印Ｂ方向に移動させる。
【００２５】
このとき、図４に示すように媒体５の端部が上に曲がっていても、ローラガイド１６の斜面にあたり、フィードローラ８の側面に衝突することなく滑らかに矢印Ｂ方向に移動できる。
【００２６】
更に媒体５が矢印Ｂ方向に移動し、基準端１３に突き当たる。そうすると、図示しないセンサにより突き当たったことが検知され、前記アライナローラ１４は回転を停止する。
【００２７】
次に図5に示すように前記アライナプレスローラ１５を矢印Ｃ方向に下げ、プレッシャローラ９を矢印Ａ方向に上昇して、フィードローラ８及び１０とプレッシャローラ９及び１１によって、媒体５を再びクランプする。
【００２８】
このとき、媒体５によりローラガイド１６は押し上げられ、遊び１８はシャフトの上側となる。即ち、この後の媒体５の搬送において、ローラガイド１６は搬送の妨げになることはない。その後、媒体５は磁気データ処理部４−１や印字処理部４−２に搬送され、磁気データの読み書き処理と、可視情報の印字処理が行われる。そして再び搬送路３を逆方向に搬送されて、前記挿入口２に排出される。
【００２９】
なお、第１の実施の形態において、幅寄せ手段として、回転軸１２と直角方向の軸を有するアライナローラ１４とアライナプレスローラ１５について説明したが、これに限るものではない。
【００３０】
以上、説明したように第１の実施の形態によれば、媒体５が基準端１３と離れた位置に挿入されても、媒体搬送に影響を与えずに滑らかに媒体５を基準端１３に幅寄せすることができる。従って、操作者は挿入口２の幅に対して媒体５をどこに入れてもよく、基準端１３を意識する必要がない操作性に優れた媒体処理装置１を提供することができる。
【００３１】
（第２の実施の形態）
次に、第２の実施の形態について説明する。前記第１の実施の形態では、フィードローラ８の隣に円錐台状のローラガイド１６を設けたが、第２の実施の形態ではシートガイドアッパ７の前記搬送路３を形成する面に突起７ａを設けるものである。以下第２の実施の形態の説明において、前記第１の実施の形態と同様の構成要素は説明を省略する場合がある。
【００３２】
図６は第２の実施の形態の搬送機構を示す一部断面図である。同図はフィードローラ８付近について、挿入口２の方向から見た図を示す。図7は図６におけるＸ−Ｘ矢視断面図である。両図において、フィードローラ１０とプレッシャローラ１１は図示を省略する。
【００３３】
前記フィードローラ８及び１０は、シートガイドアッパ７に設けられた透孔７−１を通して前記シートガイドアッパ７を越え、前記搬送路３に入り込むように設けられる。
【００３４】
一方、前記フィードローラ８及び１０と対向する位置にプレッシャローラ９及び１１が設けられている。当該プレッシャローラ９及び１１は図示しないアクチュエータによって上下動する。プレッシャローラ９及び１１は、上昇することによって、シートガイドロワ６に設けられた透孔６−１を通して前記シートガイドロワ６を越え、前記搬送路３に入り込む。こうしてプレッシャローラ９及び１１は、前記フィードローラ８及び１０と共に媒体５をクランプする。また、プレッシャローラ９及び１１は下降することによって、前記搬送路３から退避し、シートガイドロワ６より引っ込んだ位置になるよう構成される。
【００３５】
前述のように前記プレッシャローラ９及び１１が前記搬送路３に入り込み、フィードローラ８及び１０と共に前記媒体５をクランプすると、図示しないフィードモータにより、フィードローラ８及び１０は正方向（吸入方向）及び逆方向（排出方向）に回転するように構成される。
【００３６】
また、第１の実施の形態と同様に、媒体５を基準端１３に移動させる幅寄せ手段としてのアライナローラ１４が設けられる。図６と図７にはアライナローラ１４は図示を省略してある。当該アライナローラ１４の軸は、前記フィードローラ８及び１０の回転軸１２と直角方向の軸である。アライナローラ１４に対向する位置に設けられたアライナプレスローラ１５と共に媒体５をクランプし、図示しないモータを駆動することにより、媒体５を搬送方向と直角方向に移動させることが可能である。アライナプレスローラ１５は、媒体５の開放時は、シートガイドロワ６より引っ込んだ位置になるよう構成する。
【００３７】
シートガイドアッパ７の前記搬送路３を形成する面であって、かつ、前記フィードローラ８の前記基準端１３の方向とは反対側に、突起状ガイドとしての突起７ａ、７ｂが設けられる。当該突起ガイド７ａ、７ｂは、前記基準端１３の方向とは反対側に斜面を有し、頂はフィードローラ８の外径まで達する。当該突起ガイド７ａ、７ｂは、フィードローラ８とプレッシャローラ９の中心を結んだ線上ではなく、搬送方向に前後ずらした２か所で突起７ａと突起７ｂとする。
【００３８】
第２の実施の形態における動作において、前記第１の実施の形態と同様に、操作者は媒体５を挿入口２に挿入する。このとき図３と同様に媒体５は、フィードローラ１０とプレッシャローラ１１のみにクランプされた状態になっている。次に、図示しないフィードモータによりフィードローラ８及び１０が回転し、媒体５を基準端１３に寄せるために適当な位置まで装置奥へ搬送させる。次にフィードローラ８及び１０の回転を停止し、媒体５を停止させる。図４と同様に、プレッシャローラ９及び１１を矢印Ｃ方向に下降させ、前記アライナプレスローラ１５を上昇させ、媒体５に押し当てる。続いてアライナローラ１４を駆動させ、媒体５を基準端１３の矢印Ｂ方向に移動させる。
【００３９】
媒体５を基準端１３の矢印Ｂ方向に移動させるにあたり、媒体５の端部が上に曲がっていても、突起７ａと突起７ｂにより押し下げられ、フィードローラ８側面に衝突することなく、媒体５は滑らかに移動できる。媒体５の搬送においては、図７に示すように、媒体クランプ点２０にて媒体５をしっかりクランプすることができるため、搬送不良が起きることはない。
【００４０】
更に媒体５が矢印Ｂ方向に移動し、基準端１３に突き当たる。そうすると、図示しないセンサにより突き当たったことが検知され、前記アライナローラ１４は回転を停止する。次に図5と同様に、前記アライナプレスローラ１５を矢印Ｃ方向に下げ、プレッシャローラ９を矢印Ａ方向に上昇して、フィードローラ８及び１０とプレッシャローラ９及び１１によって、媒体５を再びクランプする。
【００４１】
その後、媒体５は磁気データ処理部４−１や印字処理部４−２に搬送され、磁気データの読み書き処理と、可視情報の印字処理が行われる。そして再び搬送路３を逆方向に搬送されて、前記挿入口２に排出される。
【００４２】
以上、説明したように第２の実施の形態によれば、媒体５が基準端１３と離れた位置に挿入されても、媒体５の搬送に影響を与えずにスムーズに媒体５を基準端１３に幅寄せすることができる。従って、操作者は挿入口２の幅に対して媒体５をどこに入れてもよく、基準端１３を意識する必要がない操作性に優れた媒体処理装置１を提供することができる。
【図面の簡単な説明】
【００４３】
【図１】第１の実施の形態の機構概略図である。
【図２】第１の実施の形態の搬送機構を示す一部断面図である。
【図３】第１の実施の形態の動作を示す説明図である。
【図４】同じく第１の実施の形態の動作を示す説明図である。
【図５】同じく第１の実施の形態の動作を示す説明図である。
【図６】第２の実施の形態の搬送機構を示す一部断面図である。
【図７】図６におけるＸ−Ｘ矢視断面図である。
【符号の説明】
【００４４】
１            媒体処理装置
５            媒体
６            シートガイドロワ
７            シートガイドアッパ
８、１０      フィードローラ
９、１１      プレッシャローラ
１３          基準端
１４          アライナローラ
１６          ローラガイド
７ａ、７ｂ    突起
【図１】
0005165416.tif 000002
【図２】
0005165416.tif 000003
【図３】
0005165416.tif 000004
【図４】
0005165416.tif 000005
【図５】
0005165416.tif 000006
【図６】
0005165416.tif 000007
【図７】
0005165416.tif 000008